(57)【要約】【課題】スクリーンを展開乃至巻き取る作動を非常に迅速かつ簡便に行うことによって、その使い勝手を大幅に向上させたロールブラインドを提供する。【解決手段】本発明はロールブラインドに関し、より詳しくは、簡便な作動を保障できるロールブラインドに関する。本発明に係るロールブラインドは、窓枠などに設置される支持枠と、前記支持枠に回転自在に設置された第１及び第２巻取棒と、前記第１及び第２巻取棒のうちいずれかを回転駆動させる巻取駆動器と、前記第１及び第２巻取棒に個別に結合された第１及び第２スクリーンと、前記第１及び第２スクリーンの各下端が固定されたウェイトバーと、前記第１及び第２巻取棒を互いに拘束及び解除させるクラッチユニットとを含む。【選択図】図１
2010527420.tif 000002
【特許請求の範囲】
【請求項１】
窓枠に設置され、左右両端に一対のエンドプレートが設置された支持枠と、
前記支持枠のエンドプレートに回転自在に設置された第１及び第２巻取棒と、
前記第１及び第２巻取棒のうちいずれかを回転駆動させる巻取駆動器と、
前記第１及び第２巻取棒に個別に結合された第１及び第２スクリーンと、
前記第１及び第２スクリーンの各下端が固定されたウェイトバーと、
前記第１及び第２巻取棒を互いに拘束及び解除させるクラッチユニットと
を含み、
前記クラッチユニットは前記巻取駆動器に固定的に結合された駆動ギア及び前記第２巻取棒に拘束及び解除自在に設置された従動ギアを含み、
前記駆動ギア及び従動ギアの間には中間ギアが介在され、
前記従動ギアはその一面に円弧状のクラッチ溝を有し、前記クラッチ溝は両端部を有し、前記第２巻取棒にはクラッチ突起が備えられ、前記クラッチ突起が前記クラッチ溝内で案内されながら前記クラッチ溝の両端部に選択的に係止されて接触することによって、前記従動ギアは前記第２巻取棒に選択的に拘束乃至解除されることを特徴とするロールブラインド。
【請求項２】
前記第１巻取棒の一端に前記巻取駆動器が設置され、前記巻取駆動器は第１巻取棒と共に回転し、前記巻取駆動器は小直径部及び大直径部を有し、前記小直径部は第１巻取棒の一端内径に嵌合され、前記大直径部の外周面には駆動紐が巻き取られることを特徴とする請求項１に記載のロールブラインド。
【請求項３】
前記第２巻取棒の一端内径には回転体が設置され、前記回転体は前記第２巻取棒と共に回転し、前記回転体の内部には固定体が設置され、前記固定体は前記回転体を回転支持することを特徴とする請求項１に記載のロールブラインド。
【請求項４】
前記回転体と固定体との間には前記回転体に円周方向の弾性力を提供する弾性部材が設置されることを特徴とする請求項３に記載のロールブラインド。
【請求項５】
前記回転体は第１及び第２回転体を含み、前記第１回転体の内部に前記第２回転体が嵌め込まれ、前記弾性部材は固定体の外周面に巻き取られたトーション部及び前記トーション部の両端部に備えられて前記第２回転体に係止されて接触可能な弾性脚を含むことを特徴とする請求項４に記載のロールブラインド。
【請求項６】
前記クラッチユニットは前記巻取駆動器に固定的に結合された駆動ギア及び前記第２巻取棒に拘束及び解除自在に設置された従動ギアを含み、
前記駆動ギアは前記巻取駆動器に固定的に結合され、前記従動ギアはその一面に円周方向のクラッチ溝を有し、前記クラッチ溝は両端部を有し、前記第２回転体にはクラッチ突起が備えられ、前記クラッチ突起が前記クラッチ溝内で案内されながら前記クラッチ溝の両端部に選択的に係止されて接触することによって、前記従動ギアは前記第２巻取棒に選択的に拘束乃至解除されることを特徴とする請求項５に記載のロールブラインド。
【発明の詳細な説明】
【技術分野】
【０００１】
本発明はロールブラインドに関し、更に詳しくは、簡便な作動を保障できるロールブラインドに関する。
【背景技術】
【０００２】
ロールブラインドはロール状に巻き取られたスクリーンが下部に展開されたり、巻き取られる作動を通じて光線の遮断、外部からの視線の遮断、防音、防暑、防寒などの機能を行う。そして、このような実用性以外にも壁やガラスの硬さを柔らかくし、色彩の配合によって室内の美観を向上させる室内装飾の重要な要素として浮上している。
【０００３】
一方、従来のロールブラインドはスクリーンが下部に展開されたり、巻き取られる作動を行うことで、外部から流入する光の量を適切に調節できないので、その明るさを調節し難いという短所があった。
【０００４】
そのため、近年は明るさを容易に調節できるロールブラインドが提案されている。このような明るさ調節機能を有するロールブラインドは、下記の特許文献１及び２などに開示されている。
【０００５】
このような明るさ調節機能を有するロールブラインドは、スクリーンの表面に透明部及び不透明部を交互に配置させ、この透明部及び不透明部はストライプ（Ｓｔｒｉｐｅ、縞）状に形成され、前方及び後方それぞれの透明部及び不透明部を互いに交差させることによって、外部から流入する光の量を調節することで、その明るさを調節するように構成された。
【０００６】
しかしながら、このような従来の明るさ調節機能を有するロールブラインドは、スクリーンを展開したり、巻き取る時間が長くかかるだけでなく、その操作が非常に煩雑であり、それにより、使い勝手が低下してしまうという短所があった。
【０００７】
また、従来の明るさ調節機能を有するロールブラインドは、透明部及び不透明部のストライプラインの直進性を確保できず、これにより、互いに重畳する透明部及び不透明部の各ストライプラインが一方に偏ったり、左右両側に屈曲するようになり、その外観美が低下するという短所があった。
【先行技術文献】
【特許文献】
【０００８】
【特許文献１】韓国実用新案登録第２０−０３６５０２８号
【特許文献２】韓国実用新案登録第２０−０２７９１６６号
【発明の概要】
【発明が解決しようとする課題】
【０００９】
本発明は上記事情に鑑みてなされたものであって、その目的は、スクリーンを展開乃至巻き取る作動を非常に迅速かつ簡便に行うことによって、その使い勝手を大幅に向上させたロールブラインドを提供することにある。
【００１０】
また、本発明の他の目的は、スクリーンの透明部及び不透明部のストライプラインに対する直進性を向上させることで、その外観美をより向上させたロールブラインドを提供することにある。
【課題を解決するための手段】
【００１１】
前記のような目的を達成するための本発明のロールブラインドは、窓枠に設置され、左右両端に一対のエンドプレートが設置された支持枠と、前記支持枠のエンドプレートに回転自在に設置された第１及び第２巻取棒と、前記第１及び第２巻取棒のうちいずれかを回転駆動させる巻取駆動器と、前記第１及び第２巻取棒に個別に結合された第１及び第２スクリーンと、前記第１及び第２スクリーンの各下端が固定されたウェイトバーと、前記第１及び第２巻取棒を互いに拘束及び解除させるクラッチユニットとを含む。
【００１２】
前記クラッチユニットは前記巻取駆動器に固定的に結合された駆動ギア及び前記第２巻取棒に拘束及び解除自在に設置された従動ギアを含む。
【００１３】
前記駆動ギア及び従動ギアの間には中間ギアが介在されることを特徴とする。
【００１４】
前記従動ギアはその一面に円弧状のクラッチ溝を有し、前記クラッチ溝は両端部を有し、前記第２巻取棒にはクラッチ突起が備えられ、前記クラッチ突起が前記クラッチ溝内で案内されながら前記クラッチ溝の両端部に選択的に係止されて接触することによって、前記従動ギアは前記第２巻取棒に選択的に拘束乃至解除されることを特徴とする。
【００１５】
前記第１巻取棒の一端に前記巻取駆動器が設置され、前記巻取駆動器は第１巻取棒と共に回転し、前記巻取駆動器は小直径部及び大直径部を有し、前記小直径部は第１巻取棒の一端内径に嵌合され、前記大直径部の外周面には駆動紐が巻き取られることを特徴とする。
【００１６】
前記第２巻取棒の一端内径には回転体が設置され、前記回転体は前記第２巻取棒と共に回転し、前記回転体の内部には固定体が設置され、前記固定体は前記回転体を回転支持することを特徴とする。
【００１７】
前記回転体と固定体との間には前記回転体に円周方向の弾性力を提供する弾性部材が設置されることを特徴とする。
【００１８】
前記回転体は第１及び第２回転体を含み、前記第１回転体の内部に前記第２回転体が嵌め込まれ、前記弾性部材は固定体の外周面に巻き取られたトーション部及び前記トーション部の両端部に備えられて前記第２回転体に係止されて接触可能な弾性脚を含むことを特徴とする。
【００１９】
前記クラッチユニットは前記巻取駆動器に固定的に結合された駆動ギア及び前記第２巻取棒に拘束及び解除自在に設置された従動ギアを含み、前記駆動ギアは前記巻取駆動器に固定的に結合され、前記従動ギアはその一面に円周方向のクラッチ溝を有し、前記クラッチ溝は両端部を有し、前記第２回転体にはクラッチ突起が備えられ、前記クラッチ突起が前記クラッチ溝内で案内されながら前記クラッチ溝の両端部に選択的に係止されて接触することによって、前記従動ギアは前記第２巻取棒に選択的に拘束乃至解除されることを特徴とする。
【発明の効果】
【００２０】
上述したように、本発明によれば、第１及び第２スクリーンが第１及び第２巻取棒に個別に巻き取り乃至巻き戻し作動するように設置された構造により、スクリーンの巻き取り乃至巻き戻し作動を迅速かつ簡便に行えるという効果を奏する。
【００２１】
また、本発明は、従来とは異なり、スクリーンを第１及び第２スクリーンに分割して構成することによって、各スクリーンの透明部及び不透明部のストライプラインの直進性を更に精密にすることができ、これにより、その外観美をより向上させることができる。
【図面の簡単な説明】
【００２２】
【図１】本発明の一実施形態に係るロールブラインドを示す正面図である。
【図２】図１の矢印Ａ部分を部分的に切り欠いて示す部分断面図である。
【図３】図２の構成要素を示す分解斜視図である。
【図４】図１の矢印Ｂに沿って示す図である。
【図５】本発明に係るロールブラインドの第１及び第２スクリーンが展開された状態を示す図である。
【図６】本発明の第１及び第２スクリーンの透明部及び不透明部が互いに一致している状態を示す部分断面図である。
【図７】本発明に係るロールブラインドの第１及び第２スクリーンが巻き取られた状態を示す図である。
【発明を実施するための形態】
【００２３】
以下、本発明の好適な実施形態を添付する図面を参照して詳細に説明する。
【００２４】
図１〜図７は、本発明の一実施形態に係るロールブラインドを示す図である。
【００２５】
図示のように、本発明のロールブラインドは、窓枠などに設置される支持枠１１、支持枠１１に回転自在に設置された第１及び第２巻取棒２１、２２、前記第１及び第２巻取棒に個別に結合された第１及び第２スクリーン３１、３２、前記第１及び第２スクリーン３１、３２の各下端が固定されたウェイトバー４０、前記第１及び第２巻取棒２１、２２を互いに拘束及び解除させるクラッチユニット５０を含む。
【００２６】
支持枠１１は窓の幅に対応する長さを有し、その両端には左右一対のエンドプレート１２、１３が設けられる。
【００２７】
第１及び第２巻取棒２１、２２は左右一対のエンドプレート１２、１３に回転自在に設置され、第１及び第２巻取棒２１、２２は各外周面に第１及び第２スクリーン３１、３２の上端が個別に結合される装着溝２１ａ、２２ａを有する。
【００２８】
第１巻取棒２１の一端は巻取駆動器２４を媒介として一側のエンドプレート１２に設置され、この巻取駆動器２４は第１巻取棒２１と共に回転するように設置される。そして、巻取駆動器２４は一側のエンドプレート１２側に回転支持され、第１巻取棒２１の他端は他側のエンドプレート１３に回転自在に支持される。
【００２９】
巻取駆動器２４は、小直径部２４ａ及び大直径部２４ｂを有し、小直径部２４ａは大直径部２４ｂから一側に突出する。巻取駆動器２４の小直径部２４ａは第１巻取棒２１の一端内径に嵌合されることによって、巻取駆動器２４と第１巻取棒２１は共に回転する。この小直径部２４ａの外周面には複数の嵌め込みリブ２４ｄ及び嵌め込み溝２４ｅが形成され、嵌め込み溝２４ｅには第１巻取棒２１の嵌め込み溝２１ａが嵌め込まれ、複数の嵌め込みリブ２４ｄは第１巻取棒２１の内周面に摩擦接触する。
【００３０】
巻取駆動器２４の大直径部２４ｂの外周面には駆動紐２８が巻き取られており、この駆動紐２８の引き作動により巻取駆動器２４は時計及び反時計回りに回転する。そして、大直径部２４ｂはカバー２４ｃによりその外周面が隠蔽される。
【００３１】
第２巻取棒２２の一端内径には回転体２３が設置され、回転体２３は第２巻取棒２２と共に回転する。回転体２３の内部には固定体２５が回転体２３を回転支持し、固定体２５の一端は一側のエンドプレート１２側に固定され、固定体２５の他端には突出部２５ａが形成される。この突出部２５aの端部には弾性的に拡縮可能な２以上の弾性結合突起２５bを有し、この弾性結合突起２５bが回転体２３の組立孔２３ｆに弾力的に結合されることによって、回転体２３は固定体２５に回転支持されるように組み立てられる。そして、第２巻取棒２２の他端は他側のエンドプレート１３に回転支持される。
【００３２】
一方、回転体２３は第１及び第２回転体２３ａ、２３ｂを含み、第１回転体２３ａの内部には第２回転体２３ｂが嵌め込まれる。
【００３３】
第１回転体２３ａの外周面は第２巻取棒２２の内径に嵌合される。第１回転体２３ａの外周面には複数の嵌め込みリブ２３ｄ及び嵌め込み溝２３ｅが形成され、嵌め込み溝２３ｅには第２巻取棒２２の嵌め込み溝２２ａが嵌め込まれ、複数の嵌め込みリブ２３ｄは第２巻取棒２２の内周面に摩擦接触する。
【００３４】
第２回転体２３ｂの外周面の一側には後述するクラッチ突起５４が設置されることができ、第２回転体２３ｂはその一側に突出した支持壁２３ｃを有し、この支持壁２３ｃは第１回転体２３ａ内に嵌め込まれる。支持壁２３ｃは円弧状の断面を有する。
【００３５】
回転体２３と固定体２５との間には第１回転体２３ａに円周方向の弾性力を提供する弾性部材２６が設けられる。この弾性部材２６により第１回転体２３ａはその回転方向に円周方向の弾性力を付与されることで、第２巻取棒２２と第１回転体２３ａはその回転方向への結合力が更に強固となる。本実施形態において、弾性部材２６はトーションバネ２６を例示している。トーションバネ２６は、固定体２５の突出部２５ａの外周面に巻き取られたトーション部２６ａ及びトーション部２６ａの両端部に弾性脚２６ｂ、２６ｃを有する。トーションバネ２６の弾性脚２６ｂ、２６ｃは第２回転体２３ｂの支持壁２３ｃの各端部に係止され、各弾性脚２６ｂ、２６ｃは円周方向から相互対向的な弾性力を印加する。
【００３６】
第１及び第２スクリーン３１、３２には複数の透明部及び不透明部３３、３５が交互に連続して配置され、各透明部及び不透明部３３、３５は同一の幅及び高さを有する。この透明部及び不透明部３３、３５はストライプ（縞）状に形成される。
【００３７】
ウェイトバー４０には第１及び第２スクリーン３１、３２の各下端が個別に結合され、このウェイトバー４０により第１及び第２スクリーン３１、３２はその重力方向に展開状態を一定に維持できる。
【００３８】
第１スクリーン３１はその上端に結合体３１ａが固定され、第１スクリーン３１の第１結合体３１ａは第１巻取棒２１の嵌め込み溝２１ａに嵌合され、第１スクリーン３１の下端はウェイトバー４０に結合される。
【００３９】
第２スクリーン３２はその上端に結合体３２ａが固定され、第２スクリーン３２の第１結合体３２ａは第２巻取棒２２の嵌め込み溝２２ａに嵌合され、第２スクリーン３２の下端はウェイトバー４０に嵌合される。
【００４０】
クラッチユニット５０は第１及び第２巻取棒２１、２２を互いに拘束及び解体させることによって、第１及び第２巻取棒２１、２２を同時に回転させるか、第１及び第２巻取棒２１、２２のうちいずれか１つのみを選択的に回転させるように構成される。
【００４１】
一実施形態に係るクラッチユニット５０は、第１巻取棒２１に固定的に結合された駆動ギア５１、第２巻取棒２２に拘束及び解除自在に設置された従動ギア５２を含む。
【００４２】
駆動ギア５１はその内周一側に結合突起５１ａを有し、この結合突起５１ａが巻取駆動器２４の嵌め込み溝２４ｅに嵌合されることによって、巻取駆動器２４に固設され、これにより、第１巻取棒２１と共に駆動ギア５１が回転する。
【００４３】
従動ギア５２は第２巻取棒２２及び回転体２３の間に回転自在に設置され、従動ギア５２は第２巻取棒２２に拘束及び解除自在に設置されることによって、第２巻取棒２２と共に回転するか、第２巻取棒２２に対して自由に回転できる。
【００４４】
従動ギア５２はその一面に円弧状のクラッチ溝５３を有し、このクラッチ溝５３は両端部５３a、５３ｂを有する。そして、第２巻取棒２２の一側にはクラッチ突起５４がクラッチ溝５３に向かって突出し、このクラッチ突起５４はクラッチ溝５３内で案内される。このようなクラッチ溝５３及びクラッチ突起５４により従動ギア５２と第２巻取棒２２は互いに拘束及び解除自在に連結される。一方、本実施形態においてクラッチ突起５４は第２巻取棒２２と共に回転する第２回転体２３ｂの外周面にクラッチ突起５４が締結具又は接着剤などを通じて固設され得る。
【００４５】
これにより、従動ギア５２の回転によりクラッチ溝５３へクラッチ突起５４が案内され、クラッチ突起５４がクラッチ溝５３の端部５３a、５３ｂに係止されて接触する場合、従動ギア５２と第２巻取棒２２は互いに拘束された状態を維持しながら同一方向に共に回転できる。
【００４６】
そして、クラッチ溝５３の円周区間ａは従動ギア５２が第２巻取棒２２から分離されて自由に回転する区間（即ち、従動ギア５２が第２巻取棒２２に拘束されていない（解除）状態である）であって、このクラッチ溝５３の円周区間ａでは第１巻取棒２１のみが時計又は反時計回りに回転するので、第１及び第２スクリーン３１、３２の透明部及び不透明部３３、３５が互いに交差することによって、外部から流入する光の量を調節して明るさを調節できる。即ち、クラッチ溝５３の円周区間ａは明るさを調節できる区間に設定される。
【００４７】
一方、一実施形態に係るクラッチユニット５０は、駆動ギア５１及び従動ギア５２の間に中間ギア５５を係合させることで、駆動ギア５１と従動ギア５２の回転方向を同一にすることもできる。中間ギア５５はいずれか一方のエンドプレート１２側に設置され、エンドプレート１２は中間ギア５５の設置位置が変更されることに対応して一側に中間ギア５５の設置が可能な余分の設置孔１２ａを更に有することもできる。
【００４８】
これとは異なり、他の実施形態によるクラッチユニット５０は駆動ギア５０及び従動ギア５２の間に中間ギア５５を介在させることなく、駆動ギア５１と従動ギア５２を直接係合させることで、駆動ギア５１と従動ギア５２はその回転方向が互いに反対になることもあり得る。
【００４９】
このような構成によるクラッチユニット５０の作動は、以下の通りである。
【００５０】
駆動紐２８の引き作動により巻取駆動器２４が時計回り又は反時計回りに回転すれば、駆動ギア５１が巻取駆動器２４と同一方向に回転し、これにより、従動ギア５２は中間ギア５５を通じて駆動ギア５１と同一方向に回転できる。一方、中間ギア５５がない場合には従動ギア５２は駆動ギア５１に対して反対方向に回転し得る。
【００５１】
そして、従動ギア５２が回転する時、クラッチ溝５３の円周区間ａ内でクラッチ突起５４が案内される間には従動ギア５２は第２巻取棒２２に結合されていない状態（即ち、従動ギア５２は第２巻取棒２２に拘束されていない状態）であるため、第２巻取棒２２は回転しない。
【００５２】
その後、クラッチ溝５３のいずれか一側の端部５３a、５３ｂにクラッチ突起５４が係止されて接触する場合には第２巻取棒２２が従動ギア５２に拘束された状態になり、これにより、第２巻取棒２２及び従動ギア５２は同一方向に共に回転する。
【００５３】
これにより、第１及び第２巻取棒２１、２２は、クラッチユニット５０のクラッチ溝５３及びクラッチ突起５４が互いに係止されて接触することによって共に回転でき、これにより、第１及び第２スクリーン３１、３２は共に上昇乃至下降して第１及び第２巻取棒２１、２２に巻き取られるか、第１及び第２巻取棒２１、２２から展開される。
【００５４】
即ち、本発明は、第１及び第２スクリーン３１、３２が第１及び第２巻取棒２１、２２に同時に巻き取られるか、解除されることによって、スクリーン３１、３２の巻き取り乃至巻き戻し作動が非常に迅速かつ簡便に行われるという長所がある。
【００５５】
一方、本発明の全体の作動関係を説明すれば、以下の通りである。
【００５６】
まず、図４において駆動紐２８の前方２８ａ側を下方向に引き下げると、巻取駆動器２４及び第１巻取棒２１は反時計回り（図４の矢印ＣＣ）に回転し、第１巻取棒２１と共に駆動ギア５１が回転する（図４の矢印ＣＣ）。このような駆動ギア５１の回転力は中間ギア５５を通じて従動ギア５２に伝達される場合、駆動ギア５１及び従動ギア５２は同一方向に回転する（図４の矢印ＣＣ）。これとは異なり、中間ギア５５がない場合には駆動ギア５１と反対方向に従動ギア５２が回転する。
【００５７】
このように、従動ギア５２が回転する時、クラッチ溝５３の円周区間ａ内でクラッチ突起５４が案内される間には従動ギア５２は第２巻取棒２２に拘束されていない状態であるため、第２巻取棒２２は回転せず、これにより、第１スクリーン３１のみが第１巻取棒２１から巻き戻されて下方に移動することで、図６に示すように、第１スクリーン３１の各透明部３３及び不透明部３５を第２スクリーン３２の各透明部３３及び不透明部３５に一致させることができる。即ち、第１巻取棒２１の駆動だけで第１スクリーン３１を上下移動させることで、第１及び第２スクリーン３１、３２の明るさ調節機能を実現する。
【００５８】
そして、従動ギア５２の回転と共に、クラッチ溝５３の一端５３ｂにクラッチ突起５４が係止されて接触すれば、このクラッチ突起５４が固定された第２巻取棒２２は従動ギア５２に拘束されて従動ギア５２の回転方向に共に回転する。
【００５９】
このように、第２巻取棒２２が第１巻取棒２１と共に回転することによって、第２スクリーン３２及び第１スクリーン３１のそれぞれは第２巻取棒２２及び第１巻取棒２１から個別に巻き戻されて、図５に示すように、下方に移動する。
【００６０】
次に、図４において駆動紐２８の後方２８ｂ側を下方向に引き下げると、巻取駆動器２４及び第１巻取棒２１は時計回り（図４の矢印Ｃ）に回転し、第１巻取棒２１と共に駆動ギア５１が回転する（図４の矢印Ｃ）。このような駆動ギア５１の回転力は中間ギア５５を通じて従動ギア５２に伝達される場合、駆動ギア５１及び従動ギア５２は同一方向に回転する（図４の矢印Ｃ）。これとは異なり、中間ギア５５がない場合には駆動ギア５１と反対方向に従動ギア５２が回転する。
【００６１】
このように、従動ギア５２が回転する時、クラッチ溝５３の円周区間ａ内でクラッチ突起５４が案内される間には従動ギア５２は第２巻取棒２２に拘束されていない状態（即ち、従動ギア５２と第２巻取棒２２が互いに解除された状態）であるため、第２巻取棒２２は回転せず、これにより、第１スクリーン３１のみが第１巻取棒２１に巻き取られて上方に移動することで、図６に示すように、第１スクリーン３１の各透明部３３及び不透明部３５を第２スクリーン３２の各透明部３３及び不透明部３５に一致させることができる。即ち、第１巻取棒２１の駆動だけで第１スクリーン３１を上下移動させることによって、第１及び第２スクリーン３１、３２の明るさ調節機能を実現する。
【００６２】
そして、従動ギア５２の回転と共に、クラッチ溝５３の一端５３ａにクラッチ突起５４が係止されて接触すれば、このクラッチ突起５４が固定された第２巻取棒２２は従動ギア５２に拘束されて従動ギア５２と共に回転する（図４の矢印Ｃ）。
【００６３】
このように、第２巻取棒２２が第１巻取棒２１と共に回転することによって、第２スクリーン３２及び第１スクリーン３１のそれぞれは第２巻取棒２２及び第１巻取棒２１に個別に巻き取られて、図７に示すように、上方に移動する。
【００６４】
以上のような本発明によれば、第１及び第２スクリーン３１、３２が第１及び第２巻取棒２１、２２に個別に巻き取り乃至巻き戻し作動するように設置された構造により、スクリーン３１、３２の巻き取り乃至巻き戻し作動を迅速かつ簡便に行えるという長所がある。
【００６５】
また、本発明は、従来とは異なり、スクリーンを第１及び第２スクリーン３１、３２に分割して構成することによって、各スクリーン３１、３２の透明部及び不透明部３３、３５のストライプラインの直進性を更に精密にでき、これにより、その外観美をより向上させることができる。
【符号の説明】
【００６６】
１１          支持枠
１０、２２    第１及び第２巻取棒
３１、３２    第１及び第２スクリーン
４０          ウェイトバー
５０          クラッチユニット
【図１】
2010527420.tif 000003
【図２】
2010527420.tif 000004
【図３】
2010527420.tif 000005
【図４】
2010527420.tif 000006
【図５】
2010527420.tif 000007
【図６】
2010527420.tif 000008
【図７】
2010527420.tif 000009
【国際調査報告】
2010527420.tif 000010
2010527420.tif 000011